(57)【要約】【課題】設備の大型化及びコストの増大を抑えつつ可燃性ガスのもつエネルギーをガスエンジンによって効率よく回収することが可能な廃棄物処理方法が提供される。【解決手段】廃棄物処理方法は、廃棄物をガス化炉１０で熱分解・ガス化することにより可燃性ガスを生成することと、ガス化炉１０またはそれよりも後段の高温運転設備に水蒸気を供給することと、可燃性ガスに含まれる不純物を除去するガス処理を行うことと、ガス処理が行われた後の可燃性ガスに空気を混合した混合ガスをガスエンジン２０に供給することと、混合ガスにおける水素ガスの濃度を検出することと、検出される水素ガスの濃度が前記ガスエンジン内での爆発を生じさせるために最低限必要な水素ガスの濃度である下限水素ガス濃度を上回るように、供給される水蒸気の量を調節することと、を含む。【選択図】図１
2020076008.tif 000002
【特許請求の範囲】
【請求項１】
廃棄物を熱分解・ガス化することにより処理するための方法であって、
前記廃棄物をガス化炉に導入して熱分解・ガス化することにより可燃性ガスを生成することと、
前記ガス化炉またはそれよりも後段に設けられる設備であって水蒸気の還元反応により水素ガスが生成されることが可能な高温運転設備に水蒸気を供給することと、
前記可燃性ガスに含まれる不純物を除去するガス処理を行うことと、
前記ガス処理が行われた後の可燃性ガスに空気を混合して混合ガスを生成しかつ当該混合ガスをガスエンジンに供給することにより当該ガスエンジンを稼働させることと、
当該ガスエンジンに供給される前記混合ガスにおける水素ガスの濃度を検出することと、
検出される水素ガスの濃度が前記ガスエンジン内での爆発を生じさせるために最低限必要な水素ガスの濃度である下限水素ガス濃度を上回るように前記高温運転設備に供給される水蒸気の量を調節することと、を含む、廃棄物処理方法。
【請求項２】
請求項１記載の廃棄物処理方法であって、前記高温運転設備に供給される水蒸気の量は、検出された水素ガスの濃度と前記下限水素ガス濃度よりも大きな範囲で設定された目標水素ガス濃度との偏差を０に近づけるように調節される、廃棄物処理方法。
【請求項３】
請求項１または２記載の廃棄物処理方法であって、前記ガス化炉は流動化ガスの供給を受けて流動する流動床を有する流動床式ガス化炉であり、前記水蒸気は前記流動化ガスとともに前記流動床に供給される、廃棄物処理方法。
【請求項４】
請求項１〜３のいずれかに記載の廃棄物処理方法であって、前記高温運転設備が前記ガス化炉から排出される可燃性ガスをその改質反応が可能となる温度以上に加熱して改質を行う改質炉を含み、前記水蒸気は当該改質炉に供給される、廃棄物処理方法。
【請求項５】
廃棄物を熱分解・ガス化することにより処理するための方法であって、
前記廃棄物をガス化炉に導入して熱分解・ガス化することにより可燃性ガスを生成することと、
前記ガス化炉よりも下流側の位置に水素ガスを供給することと、
前記可燃性ガスに含まれる不純物を除去するガス処理を行うことと、
前記ガス処理が行われた後の可燃性ガスに空気を混合して混合ガスを生成しかつ当該混合ガスをガスエンジンに供給することにより当該ガスエンジンを稼働させることと、
当該ガスエンジンに供給される前記混合ガスにおける水素ガスの濃度を検出することと、
検出される水素ガスの濃度が前記ガスエンジン内での爆発を生じさせるために最低限必要な水素ガスの濃度である下限水素ガス濃度を上回るように前記水素ガスの供給量を調節することと、を含む、廃棄物処理方法。
【請求項６】
請求項５記載の廃棄物処理方法であって、前記水素ガスの供給量は、検出された水素ガスの濃度と前記下限水素ガス濃度よりも大きな範囲で設定された目標水素ガス濃度との偏差を０に近づけるように調節される、廃棄物処理方法。
【請求項７】
前記水素ガスは前記ガス処理が行われた後の可燃性ガスに供給される、廃棄物処理方法。
【請求項８】
請求項１〜７のいずれかに記載の廃棄物処理方法であって、前記混合ガス中の水素ガス濃度の検出は、前記ガス処理がなされてから前記ミキサに導入される前の可燃性ガス中の水素ガス濃度を測定することと、により行われる、廃棄物処理方法。
【請求項９】
廃棄物を熱分解・ガス化することにより処理するためのシステムであって、
前記廃棄物を受け入れて熱分解・ガス化することにより可燃性ガスを生成するガス化炉と、
前記ガス化炉またはそれよりも後段に設けられる設備であって水蒸気の還元反応により水素ガスが生成されることが可能な高温運転設備に水蒸気を供給する水蒸気供給部と、
前記可燃性ガスに含まれる不純物を除去するガス処理を行うガス処理部と、
供給されるガスを爆発させて動力を生成するガスエンジンと、
前記ガス処理が行われた後の可燃性ガスに空気を混合して混合ガスを生成しかつ当該混合ガスを前記ガスエンジンに供給するミキサと、
当該ガスエンジンに供給される前記混合ガスにおける水素ガスの濃度を検出する水素ガス濃度検出部と、
検出される水素ガスの濃度が前記ガスエンジン内での爆発を生じさせるために最低限必要な水素ガスの濃度である下限水素ガス濃度を上回るように前記高温運転設備に供給される水蒸気の量を調節する水素ガス濃度制御部と、を備える、廃棄物処理システム。
【請求項１０】
請求項９記載の廃棄物処理システムであって、前記水素ガス濃度制御部は、検出された水素ガスの濃度と前記下限水素ガス濃度よりも大きな範囲で設定された目標水素ガス濃度との偏差を演算する偏差演算部と、演算された前記偏差を０に近づけるように前記高温運転設備に供給される水蒸気の量を調節する水蒸気供給量調節部と、を含む、廃棄物処理システム。
【請求項１１】
請求項９または１０記載の廃棄物処理システムであって、前記ガス化炉は流動化ガスの供給を受けて流動する流動床を有する流動床式ガス化炉であり、前記水蒸気供給部は前記水蒸気を前記流動化ガスとともに前記流動床に供給するように構成されている、廃棄物処理システム。
【請求項１２】
請求項９〜１１のいずれかに記載の廃棄物処理システムであって、前記高温運転設備として前記ガス化炉から排出される可燃性ガスを加熱して改質を行う改質炉をさらに備え、前記水蒸気供給部は前記水蒸気を前記改質炉に供給するように構成されている、廃棄物処理システム。
【請求項１３】
廃棄物を熱分解・ガス化することにより処理するためのシステムであって、
前記廃棄物を受け入れて熱分解・ガス化することにより可燃性ガスを生成するガス化炉と、
前記ガス化炉またはそれよりも後段の設備に水素ガスを供給する水素ガス供給部と、
前記可燃性ガスに含まれる不純物を除去するガス処理を行うガス処理部と、
供給されるガスを爆発させて動力を生成するガスエンジンと、
前記ガス処理が行われた後の可燃性ガスに空気を混合して混合ガスを生成しかつ当該混合ガスをガスエンジンに供給するミキサと、
当該ガスエンジンに供給される前記混合ガスにおける水素ガスの濃度を検出する水素ガス濃度検出部と、
検出される水素ガスの濃度が前記ガスエンジン内での爆発を生じさせるために最低限必要な水素ガスの濃度である下限水素ガス濃度を上回るように前記水素ガス供給部から供給される水素ガスの量を調節する水素ガス濃度制御部と、を備える、廃棄物処理システム。
【請求項１４】
請求項１３記載の廃棄物処理システムであって、前記水素ガス濃度制御部は、検出された水素ガスの濃度と前記下限水素ガス濃度よりも大きな範囲で設定された目標水素ガス濃度との偏差を演算する偏差演算部と、演算された前記偏差を０に近づけるように前記水素ガス供給部から供給される水素ガスの量を調節する水素ガス供給量調節部と、を含む、廃棄物処理システム。
【請求項１５】
請求項１３または１４記載の廃棄物処理システムであって、前記水素ガス供給部は、前記ガス処理部から排出された可燃性ガス、すなわち不純物が除去された後の清浄な状態にある可燃性ガス、に前記水素ガスを供給するように構成されている、廃棄物処理システム。
【請求項１６】
請求項９〜１５のいずれかに記載の廃棄物処理システムであって、前記水素ガス濃度検出部は、前記ガス処理部から排出されて前記ミキサに導入される前の可燃性ガス中の水素ガス濃度を測定する水素ガス濃度測定器と、その測定された水素ガス濃度と前記ミキサに供給される空気の量とに基づいて前記混合ガス中の水素ガス濃度を算定する水素ガス濃度算定部と、を有する、廃棄物処理システム。
【発明の詳細な説明】
【技術分野】
【０００１】
本発明は、廃棄物を熱分解・ガス化してこれにより生じた可燃性ガスのもつエネルギーをガスエンジンによって回収する廃棄物処理方法及びシステムに関する。
【背景技術】
【０００２】
従来、廃棄物を熱分解・ガス化する廃棄物処理設備において、前記熱分解・ガス化により生じた可燃性ガスのもつエネルギーをガスエンジンにより回収する技術が知られている。前記ガスエンジンは、前記可燃性ガスのもつエネルギーを直接運動エネルギーに変換するものであるため、例えば前記可燃性ガスをボイラに導入して高圧蒸気を発生させた後に当該高圧蒸気のもつエネルギーによって蒸気タービンを回す方法に比べ、前記可燃性ガスのエネルギーの回収をより効率よく行うことが可能である。
【０００３】
しかしながら、前記ガスエンジンにおいてその正常な稼働のために有効な爆発を生じさせるためには、当該ガスエンジンに導入されるガスに一定以上の単位体積当たり発熱量（ガスエンジン必要発熱量）が必要とされる一方、一般の廃棄物の熱分解・ガス化により生じる可燃性ガスが保有する単位体積当たりの発熱量は前記ガスエンジン必要発熱量を下回ることが多く、この場合には、前記可燃性ガスをそのままガスエンジンに導入しても当該ガスエンジンを正常に運転することができない。
【０００４】
このように保有発熱量の低い可燃性ガスのエネルギーをガスエンジンにより回収するための方法として、特許文献１には、前記可燃性ガスにこれよりも保有発熱量の高い高発熱量ガス（例えばメタン発酵原料から発生したメタンガス）を混合し、これにより得られる混合ガスの保有発熱量を前記ガスエンジン必要発熱量よりも大きくした上で、当該混合ガスをガスエンジンに供給する方法が開示されている。
【先行技術文献】
【特許文献】
【０００５】
【特許文献１】特開２０１８−１０８５４０号公報
【発明の概要】
【発明が解決しようとする課題】
【０００６】
前記のように可燃性ガスにこれよりも発熱量の高い高発熱量ガスを混合する方法では、本来の廃棄物処理のための設備に加え、高発熱量ガスを生成しかつこれを可燃性ガスに添加するための設備が必要である。しかも、前記発熱量の調整のために必要とされる高発熱量ガスの体積は、当該高発熱量ガスの保有発熱量が低いほど大きくなり、その体積分だけ設備は大型化される。換言すれば、必要とされる高発熱量ガスの体積を小さくするためには当該高発熱量ガスとして保有発熱量の高いものを用いなければならず、その分コストは増大する。
【課題を解決するための手段】
【０００７】
本発明は、前記課題を解決すべく、設備の大型化及びコストの増大を抑えながら、廃棄物の熱分解により生じる可燃性ガスのもつエネルギーをガスエンジンによって効率よく回収することができる方法及びシステムを提供することを目的とする。
【０００８】
前記目的を達成するため、本発明者らは、前記ガスエンジンに導入されるガスに含まれる水素ガスの濃度に着目した。水素ガスは前記可燃性ガスに含まれる他の可燃成分（一酸化炭素やメタン）に比べて着火性、燃焼性が高いため、大きな体積をもつ高発熱量ガスを可燃性ガスに導入しなくても、当該可燃性ガスにおける水素ガスの濃度を管理することにより、ガスエンジンの正常な稼働を保証することが可能である。しかも、可燃性ガスにおける水素ガスの濃度は、廃棄物処理設備に供給される水蒸気の量の増加や小量の水素ガスの添加により十分に高めることが可能であり、著しい設備の大型化や大幅なコストの増大を伴わない。
【０００９】
本発明により提供されるのは、廃棄物を熱分解・ガス化することにより処理するための方法であって、前記廃棄物をガス化炉に導入して熱分解・ガス化することにより可燃性ガスを生成することと、前記ガス化炉またはそれよりも後段に設けられる設備であって水蒸気の還元反応により水素ガスが生成されることが可能な高温運転設備に水蒸気を供給することと、前記可燃性ガスに含まれる不純物を除去するガス処理を行うことと、前記ガス処理が行われた後の可燃性ガスに空気を混合して混合ガスを生成しかつ当該混合ガスをガスエンジンに供給することにより当該ガスエンジンを稼働させることと、当該ガスエンジンに供給される前記混合ガスにおける水素ガスの濃度を検出することと、検出される水素ガスの濃度が前記ガスエンジン内での爆発を生じさせるために最低限必要な水素ガスの濃度である下限水素ガス濃度を上回るように前記水蒸気の供給量を調節することと、を含む。このような水蒸気の供給量の調節は、前記ガスエンジンに導入されるガス（可燃性ガスと空気の混合ガス）の水素ガス濃度を下限水素ガス濃度以上にして当該ガスエンジンの正常な運転を保証することを可能にする。
【００１０】
前記水蒸気の供給量は、例えば、検出された水素ガスの濃度と前記下限水素ガス濃度よりも大きな範囲で設定された目標水素ガス濃度との偏差を０に近づけるように調節されることが好ましい。この調節により、水蒸気の過剰な供給による熱効率の低下を抑えながら前記ガスエンジンに導入されるガスの水素ガス濃度を前記下限水素ガス濃度よりも大きな濃度により確実に維持するための制御、つまり、ガスエンジンの正常な運転をより確実にかつ効率よく行うことを可能にするような水素ガス濃度の制御、が実現される。
【００１１】
前記ガス化炉が流動化ガスの供給を受けて流動する流動床を有する流動床式ガス化炉である場合、前記水蒸気は前記流動化ガスとともに前記流動床に供給されるのが、好ましい。このように前記流動床に供給される水蒸気は、当該流動床内で廃棄物または当該廃棄物から生じた可燃性ガスと効率よく接触しかつ加熱されるので、当該水蒸気から生成される水素ガスをガスエンジンに供給される可燃性ガス中に高い効率で含ませることが可能である。
【００１２】
前記高温運転設備が前記ガス化炉から排出される可燃性ガスをその改質反応が可能となる温度以上に加熱して改質を行う改質炉を含む場合、前記水蒸気は当該改質炉に供給されてもよい。このように改質炉に水蒸気を供給することにより、前記改質のための熱を有効に利用して前記水蒸気の還元反応を生じさせることが可能である。
【００１３】
また、本発明により提供されるのは、廃棄物を熱分解・ガス化することにより処理するための方法であって、前記廃棄物をガス化炉に導入して熱分解・ガス化することにより可燃性ガスを生成することと、前記ガス化炉よりも下流側の位置に水素ガスを供給することと、前記可燃性ガスに含まれる不純物を除去するガス処理を行うことと、前記ガス処理が行われた後の可燃性ガスに空気を混合して混合ガスを生成しかつ当該混合ガスをガスエンジンに供給することにより当該ガスエンジンを稼働させることと、当該ガスエンジンに供給される前記混合ガスにおける水素ガスの濃度を検出することと、検出される水素ガスの濃度が前記ガスエンジン内での爆発を生じさせるために最低限必要な水素ガスの濃度である下限水素ガス濃度を上回るように前記水素ガスの供給量を調節することと、を含む。
【００１４】
この方法においても、前記水素ガスの供給量は、検出された水素ガスの濃度と前記下限水素ガス濃度よりも大きな範囲で設定された目標水素ガス濃度との偏差を０に近づけるように調節されることが好ましい。この調節により、水素ガスの消費量を抑えながら前記ガスエンジンに導入されるガスの水素ガス濃度を前記下限水素ガス濃度よりも大きな濃度に確実に維持するための制御、つまり、ガスエンジンの正常な運転をより確実に可能にするような水素ガス濃度の制御、が実現される。
【００１５】
前記水素ガスが供給される位置は特に限定されないが、好ましくは、前記ガス処理が行われた後の可燃性ガス、すなわち水素ガスの燃焼が生じない程度に温度が低くかつ不純物が除去された後の清浄な状態にある可燃性ガス、に水素ガスが供給されるのが、よい。
【００１６】
前記方法のいずれにおいても、前記混合ガス中の水素ガス濃度の検出は、前記ガス処理がなされてから前記ミキサに導入される前の可燃性ガス中の水素ガス濃度を測定することと、測定された水素ガス濃度と前記ミキサに供給される空気の量とに基づいて前記混合ガス中の水素ガス濃度を算定することと、により行われるのが好ましい。前記ガス処理がなされた後の可燃性ガスは清浄であるためにその水素ガス濃度の測定は容易であり、しかもミキサよりも上流側で測定を行うためにその測定箇所の選定の自由度が高い。そして、このようにミキサの上流側で水素ガス濃度の測定を行いながら、その測定された水素ガス濃度とミキサに供給される空気の量とに基づいて前記混合ガス中の水素ガス濃度を適正に算定することが可能である。
【００１７】
また、本発明により提供されるのは、廃棄物を熱分解・ガス化することにより処理するためのシステムであって、前記廃棄物を受け入れて熱分解・ガス化することにより可燃性ガスを生成するガス化炉と、前記ガス化炉またはそれよりも後段に設けられる設備であって水蒸気の還元反応により水素ガスが生成されることが可能な高温運転設備に水蒸気を供給する水蒸気供給部と、前記可燃性ガスに含まれる不純物を除去するガス処理を行うガス処理部と、供給されるガスを爆発させて動力を生成するガスエンジンと、前記ガス処理が行われた後の可燃性ガスに空気を混合して混合ガスを生成しかつ当該混合ガスを前記ガスエンジンに供給するミキサと、当該ガスエンジンに供給される前記混合ガスにおける水素ガスの濃度を検出する水素ガス濃度検出部と、検出される水素ガスの濃度が前記ガスエンジン内での爆発を生じさせるために最低限必要な水素ガスの濃度である下限水素ガス濃度を上回るように水蒸気の供給量を調節する水素ガス濃度制御部と、を備える。
【００１８】
前記水素ガス濃度制御部は、検出された水素ガスの濃度と前記下限水素ガス濃度よりも大きな範囲で設定された目標水素ガス濃度との偏差を演算する偏差演算部と、演算された前記偏差を０に近づけるように前記高温運転設備に供給される水蒸気の量を調節する水蒸気供給量調節部と、を含むのが、好ましい。
【００１９】
前記ガス化炉が流動化ガスの供給を受けて流動する流動床を有する流動床式ガス化炉である場合、前記水蒸気供給部は前記水蒸気を前記流動化ガスとともに前記流動床に供給するように構成されているのが、好ましい。
【００２０】
あるいは、前記システムが、前記高温運転設備として前記ガス化炉から排出される可燃性ガスを加熱して改質を行う改質炉をさらに備える場合、前記水蒸気供給部は前記水蒸気を前記改質炉に供給するように構成されていてもよい。
【００２１】
また、本発明により提供されるのは、廃棄物を熱分解・ガス化することにより処理するためのシステムであって、前記廃棄物を受け入れて熱分解・ガス化することにより可燃性ガスを生成するガス化炉と、前記ガス化炉またはそれよりも後段の設備に水素ガスを供給する水素ガス供給部と、前記可燃性ガスに含まれる不純物を除去するガス処理を行うガス処理部と、供給されるガスを爆発させて動力を生成するガスエンジンと、前記ガス処理が行われた後の可燃性ガスに空気を混合して混合ガスを生成しかつ当該混合ガスをガスエンジンに供給するミキサと、当該ガスエンジンに供給される前記混合ガスにおける水素ガスの濃度を検出する水素ガス濃度検出部と、検出される水素ガスの濃度が前記ガスエンジン内での爆発を生じさせるために最低限必要な水素ガスの濃度である下限水素ガス濃度を上回るように前記水素ガス供給部から供給される水素ガスの量を調節する水素ガス濃度制御部と、を備える。
【００２２】
このシステムにおいても、前記水素ガス濃度制御部は、検出された水素ガスの濃度と前記下限水素ガス濃度よりも大きな範囲で設定された目標水素ガス濃度との偏差を演算する偏差演算部と、演算された前記偏差を０に近づけるように前記水素ガス供給部から供給される水素ガスの量を調節する水素ガス供給量調節部と、を含むのが、好ましい。
【００２３】
前記水素ガス供給部は、例えば、前記ガス処理部から排出された可燃性ガス、すなわち不純物が除去された後の清浄な状態にある可燃性ガス、に前記水素ガスを供給するように構成されていることが、好ましい。
【００２４】
前記システムのいずれにおいても、前記水素ガス濃度検出部は、前記ガス処理部から排出されて前記ミキサに導入される前の可燃性ガス中の水素ガス濃度を測定する水素ガス濃度測定器と、その測定された水素ガス濃度と前記ミキサに供給される空気の量とに基づいて前記混合ガス中の水素ガス濃度を算定する水素ガス濃度算定部と、を有することが、好ましい。
【発明の効果】
【００２５】
以上のように、本発明によれば、設備の大型化及びコストの増大を抑えながら廃棄物の熱分解により生じる可燃性ガスのもつエネルギーをガスエンジンによって効率よく回収することができる方法及びシステムが、提供される。
【図面の簡単な説明】
【００２６】
【図１】本発明の第１の実施の形態に係る廃棄物処理システムを示すフローシートである。
【図２】前記廃棄物処理システムにおいて検出される水素ガス濃度の時間変化の例を示すグラフである。
【図３】本発明の第２の実施の形態に係る廃棄物処理システムを示すフローシートである。
【図４】本発明の第３の実施の形態に係る廃棄物処理システムを示すフローシートである。
【図５】本発明の第４の実施の形態に係る廃棄物処理システムを示すフローシートである。
【発明を実施するための形態】
【００２７】
以下、本発明の好ましい実施の形態を、図面を参照しながら説明する。
【００２８】
図１は、本発明の第１の実施の形態に係る廃棄物処理システムを示すフローシートである。この廃棄物処理システムは、ガス化炉１０と、改質炉１２と、ガス処理部１４と、ミキサ１６と、ガスエンジン２０と、を備える。
【００２９】
前記ガス化炉１０は、投入されたごみ等の廃棄物を熱分解・ガス化することにより可燃性ガスを生成する。当該可燃性ガスには一酸化炭素やメタンガス、水素ガス等の可燃成分が含まれる。
【００３０】
この実施の形態に係るガス化炉１０は、流動床式ガス化炉であり、その底部に形成された流動床１８と、当該流動床１８の上方に形成された燃焼空間であるフリーボード１７と、を有する。当該ガス化炉１０には流動化空気及び二次空気が供給される。前記流動化空気は流動化空気配管１９及び前記ガス化炉１０の底部の空気室を通じて前記流動床１８にその下方から供給され、当該流動床１８の流動化に寄与する。前記二次空気は前記フリーボード１７に供給され、前記流動床１８から上昇する可燃性ガスの二次燃焼に寄与する。
【００３１】
前記改質炉１２は、前記ガス化炉１０の後段に設置された高温運転設備であり、当該ガス化炉１０から排出される可燃性ガスに含まれるタールやチャーを合成ガスに熱分解することにより、当該可燃性ガスの改質を行う。具体的には、当該可燃性ガスを加熱するように前記改質炉１２内が加熱されるとともに、当該改質炉１２に改質用空気供給配管１３を通じて改質用空気が供給され、これにより、前記可燃性ガスが改質される。前記改質炉１２内の加熱温度は、改質反応が生じる温度以上の温度（例えば８００°Ｃ〜１２００°Ｃ）に設定される。
【００３２】
なお、この実施の形態において前記改質炉１２は必須のものではない。すなわち、当該改質炉１２は省略されてもよい。
【００３３】
前記ガス処理部１４は、例えばバグフィルタやサイクロン、スクラバを含み、前記改質炉１２から排出される可燃性ガスに含まれる不純物を除去する。当該不純物は、例えば粉塵や酸性ガス、アンモニアなどのアルカリ性ガスである。
【００３４】
前記ミキサ１６は、前記ガス処理部１４から排出されるガス、すなわち前記不純物を除去するためのガス処理が行われた後の可燃性ガス、を受け入れ、これに空気を混合することにより混合ガスを生成して当該混合ガスを前記ガスエンジン２０に供給する。前記ミキサ１６に供給される空気量は、ガスエンジン２０の仕様にもよるが、一般には理論空気量以上で当該理論空気量の２倍の空気量以下の範囲で設定されるのが、よい。前記理論空気量は、燃焼室２２内において可燃成分が完全に燃焼するために必要な空気量である。例えば理論空気量を０．７ｍ３Ｎ−ＡＩＲ／ｍ３Ｎ−可燃性ガス、設定される運転空気比を１．５としたとき、可燃性ガスに対する空気の比率が０．７×１．５＝１．０５となるような量の空気がミキサ１６に供給される。
【００３５】
前記ガスエンジン２０は、前記ミキサ１６から供給される混合ガスを受け入れてこれを燃焼室２２内で爆発させることにより機械エネルギーを生成する。この実施の形態に係るガスエンジン２０は、前記燃焼室２２を形成するシリンダ２４と、当該シリンダ２４内で往復動することが可能なピストン２６と、当該ピストン２６に連結されるクランク機構２８と、を有する。このガスエンジン２０において、前記燃焼室２２内での前記混合ガスの爆発及び燃焼により発生したエネルギーは、前記ピストン２６及び前記クランク機構２８により機械エネルギーすなわち前記クランク機構２８の回転運動エネルギーに変換される。
【００３６】
前記ガスエンジン２０の正常な稼働のためには、前記燃焼室２２内で確実に前記混合ガスの爆発が発生する必要がある。当該ガスエンジン２０の稼働のために、従来は前記可燃性ガスの保有する発熱量が着目され、当該発熱量が所定の発熱量以上となるように当該可燃性ガスに高発熱量ガスを混合させることが行われていたのに対し、この廃棄物処理システムでは、可燃成分の中でも特に着火性及び燃焼性に優れた水素ガスの濃度に着目がなされ、当該水素ガス濃度が下限水素ガス濃度Ｄｈｍｉｎを上回るように前記ガス化炉１０に対して水蒸気の供給が行われる。
【００３７】
前記下限水素ガス濃度Ｄｈｍｉｎは、前記ガスエンジン２０の燃焼室２２内での爆発を確実に生じさせるために最低限必要な前記混合ガス中の水素ガス濃度である。当該下限水素ガス濃度Ｄｈｍｉｎの値は、前記ガスエンジン２０の仕様にもよるが、一般には４％（容積％）前後である。
【００３８】
具体的に、この廃棄物処理システムは、その特徴として、図１に示すような水蒸気供給部３０、水蒸気供給調節弁３２、水素ガス濃度測定器３４、水素ガス濃度算定部３５、偏差演算部３６、水蒸気供給指令部３８をさらに備える。
【００３９】
前記水蒸気供給部３０は、水蒸気供給配管３１を通じて前記流動化空気配管１９内に水蒸気を供給する。すなわち、当該水蒸気供給部３０は、前記流動化空気配管１９内を流れる流動化空気に前記水蒸気を混合し、当該水蒸気を当該流動化空気とともに前記ガス化炉１０内の流動床１８に供給する。当該水蒸気供給部３０は、例えば、前記可燃性ガスの熱により水を沸騰させて水蒸気を生成するボイラや、当該ボイラその他により生成された水蒸気を貯留する蒸気溜めにより構成される。
【００４０】
前記水蒸気供給調節弁３２は、前記水蒸気供給管３１の途中に設けられ、当該水蒸気供給管３１を通じて前記流動化空気供給配管１９に供給される水蒸気の流量を変化させるように開弁する。当該水蒸気供給調節弁３２は、より具体的には、電磁弁により構成され、入力される流量指令信号に応じた開度で開弁することにより、前記水蒸気の流量が前記流量指令信号に対応した流量になるように当該流量を調節する。
【００４１】
前記水素ガス濃度測定器３４は、前記ガス処理部１４と前記ミキサ１６とを結ぶ配管１５に接続され、当該ガス処理部１４から排出されるガス、すなわち当該ガス処理部１４により不純物が除去された後の清浄な可燃性ガス、における水素ガス濃度を測定する。具体的に、当該水素ガス濃度測定器３４は、前記水素ガス濃度に対応した電気信号である水素ガス測定信号を生成し、前記水素ガス濃度算定部３５に入力する。
【００４２】
前記水素ガス濃度算定部３５は、前記水素ガス濃度測定器３４により測定される水素ガス濃度と、前記ミキサ１６に供給される空気の量とに基づき、当該ミキサ１６から前記ガスエンジンに供給される混合ガスにおける水素ガス濃度を検出水素ガス濃度Ｄｈとして算定する。すなわち、当該水素ガス濃度算定部３５は、前記水素ガス濃度測定器３４とともに、前記混合ガスにおける水素ガス濃度を検出する水素ガス濃度検出部を構成する。
【００４３】
前記偏差演算部３６は、水素ガス濃度偏差ΔＤｈを演算する。この水素ガス濃度偏差ΔＤｈは、予め設定された目標水素ガス濃度Ｄｈｔに対する前記検出水素ガス濃度Ｄｈの偏差である（ΔＤｈ＝Ｄｈ−Ｄｈｔ）。前記目標水素ガス濃度Ｄｈｔは、前記混合ガス中の水素ガス濃度が確実に前記下限水素ガス濃度Ｄｈｍｉｎを上回るように当該下限水素ガス濃度Ｄｈｍｉｎよりも大きな値に設定される。例えば、前記下限水素ガス濃度Ｄｈｍｉｎが４％（容積％）の場合、前記目標水素ガス濃度Ｄｈｔは５％またはそれよりも少し大きな値に設定されるのが好ましい。
【００４４】
前記水蒸気供給指令部３８は、前記流量指令信号を生成して前記水蒸気供給調節弁３２に入力することにより、前記水蒸気供給部３０から前記流動化空気に供給される水蒸気の流量を調節する。具体的に、当該水蒸気供給指令部３８は、前記流量指令信号として、前記偏差演算部３６により演算される前記水素ガス濃度偏差ΔＤｈを０に近づけるような流量指令信号を生成し、これを前記水蒸気供給調節弁３２に入力する。従って、当該水蒸気供給指令部３８は、前記偏差演算部３６及び前記水蒸気供給調節弁３２とともに、前記水素ガス濃度偏差ΔＤｈを０に近づけるように水蒸気供給量を調節する（つまり検出水素ガス濃度Ｄｈを目標水素ガス濃度Ｄｈｔに近づけるような水素ガス濃度制御を行う）水素ガス濃度制御部を構成する。当該水素ガス供給指令部３８は、例えば、前記水素ガス濃度算定部３５及び偏差演算部３６とともに、マイクロコンピュータをはじめとする演算制御装置により構成されることが可能である。
【００４５】
次に、この廃棄物処理システムにおいて行われる廃棄物処理方法について説明する。
【００４６】
処理対象となるごみ等の廃棄物は、ガス化炉１０内の流動床１８に投入され、ここで一次燃焼する。これにより、可燃成分を含む可燃性ガスが発生する。当該可燃性ガスは、前記流動床１８からフリーボード１７内に上昇し、ここで二次燃焼した後にガス化炉１０から排出される。
【００４７】
前記流動床１８にはこれを流動化しかつ前記廃棄物を熱分解・ガス化するための流動化空気が供給されるが、当該流動化空気には前記水蒸気供給部３０から供給される水蒸気が混合されているため、当該水蒸気は前記一次燃焼により発生した熱によって前記流動床１８内で分解され、これにより水素ガスが生成される。当該水素ガスは当該流動床１８内で廃棄物またはその可燃性ガスと効率よく接触しかつ加熱されるので、当該水蒸気から生成される水素ガスをガスエンジンに供給される可燃性ガス中に高い効率で含ませることが可能である。つまり、前記可燃性ガスは前記水素ガスが効率よく混合された状態で前記ガス化炉１０から排出される。
【００４８】
前記可燃性ガスは、改質炉１２にて改質され、ガス処理部１４にてガス処理された後、ミキサ１６に導入される。当該ミキサ１６は、前記可燃性ガスと空気とを混合して混合ガスを生成し、これをガスエンジン２０に供給する。当該ガスエンジン２０は、当該混合ガスを燃焼室２２内で爆発させ、燃焼させることにより、前記可燃性ガスの保有するエネルギーを機械エネルギーに変換する。当該機械エネルギーは、例えば発電機により電気エネルギーに変換され、回収される。
【００４９】
一方、前記水素ガス濃度測定器３４は、前記ガス処理部１４から排出される可燃性ガスの水素ガス濃度を測定する。前記水素ガス濃度算定部３５は、その測定された水素ガス濃度と、前記ミキサ１６に供給される空気の量と、に基づいて検出水素ガス濃度Ｄｈ、すなわち前記混合ガス中における水素ガス濃度、を算定する。前記偏差演算部３６は、予め設定された前記目標水素ガス濃度Ｄｈｔと前記検出水素ガス濃度Ｄｈとの偏差である前記水素ガス濃度偏差ΔＤｈ（＝Ｄｈ−Ｄｈｔ）を演算する。
【００５０】
前記水蒸気供給指令部３８は、前記水素ガス濃度偏差ΔＤｈを０に近づけるための流量指令信号を生成し、これを前記水蒸気供給調節弁３２に入力する。これにより、前記検出水素ガス濃度Ｄｈを前記目標水素ガス濃度Ｄｈｔに近づけるような水蒸気供給量の調節、換言すれば、当該水蒸気供給量の調節による水素ガス濃度の制御（この実施の形態ではフィードバック制御）、が実行される。当該制御は、例えば前記水素ガス濃度偏差ΔＤｈに基づくＰＩＤ制御である。従って、前記検出水素ガス濃度Ｄｈが前記目標水素ガス濃度Ｄｈｔよりもある程度以上大きい領域（図２に示される例では領域Ａ１）にて水蒸気供給量を減少させる調節が行われ、逆に前記検出水素ガス濃度Ｄｈが前記目標水素ガス濃度Ｄｈｔよりもある程度以上小さい領域（図２に示される例では領域Ａ２）にて水蒸気供給量を増加させる調節が行われる。
【００５１】
以上のような制御は、前記混合ガスにおける水素ガス濃度を確実に下限水素ガス濃度Ｄｈｍｉｎよりも上回らせるような水蒸気の供給を可能にする。しかも、求められる水素ガス濃度の確保のために必要な供給量を大幅に上回るような水蒸気の過剰供給を抑えることにより、当該供給に起因する熱効率の低下を抑制することが可能である。
【００５２】
前記水素ガスを発生させるための水蒸気が供給される箇所は特に限定されない。当該箇所は、水蒸気の分解によって水素ガスが生成されることが可能な箇所、つまり当該水蒸気の分解反応が生じる程度の高温条件下で運転が行われる箇所であればよい。具体的には、前記ガス化炉１０に供給される二次空気に水蒸気が混合されてもよいし、当該ガス化炉１０の後段で高温運転が行われる高温運転設備、例えば、当該廃棄物処理システムが前記改質炉１２を含む場合には当該改質炉１２、に水蒸気が供給されてもよい。
【００５３】
後者の例を第２の実施の形態として図３に示す。この第２の実施の形態では、前記第１の実施の形態に係るシステムにおける水蒸気供給部３０が流動化空気配管１９ではなく改質用空気供給配管１３に水蒸気供給配管３３を介して接続され、当該水蒸気供給配管３３の途中に前記第１の実施の形態と同様に水蒸気供給調節弁３２が設けられている。従って、この第２の実施の形態では、前記水蒸気供給部３０から前記水蒸気供給調節弁３２を経由して改質用空気供給配管１３に水蒸気が供給され、当該水蒸気は前記改質用空気と混合された状態で前記改質炉１２に供給される。
【００５４】
この第２の実施の形態では、可燃性ガスの改質のために改質炉１２内に与えられる熱を利用して前記水蒸気を分解して水素ガスを改質炉１２内に生成することができ、かつ、当該水素ガスを確実に可燃性ガスに混合してガスエンジン２０に送り込むことが可能である。従って、この第２の実施の形態においても、水素ガス濃度測定器３４及び水素ガス濃度算定部３５により検出される（混合ガス中の）水素ガス濃度に基づいて水蒸気供給量が調節されることにより、前記混合ガスにおける水素ガス濃度を確実に下限水素ガス濃度Ｄｈｍｉｎよりも大きくしてガスエンジン２０の正常な稼働を確保することができる。
【００５５】
前記混合ガスにおける水素ガス濃度の検出は、前記のようなガス処理部１４の下流側での水素ガス濃度の測定と、その測定された水素ガス濃度に基づく混合ガス中の水素ガス濃度の算定と、の組合せによるものに限定されない。例えば、本発明の第３の実施の形態として図４に示すように、前記ミキサ１６から前記ガスエンジン２０に供給される混合ガス中の水素ガス濃度を直接検出するように前記水素ガス濃度測定器３４が当該ミキサ１６またはその下流側の配管部分に接続されてもよい。この場合、前記第１の実施の形態に係る水素ガス濃度算定部３５は不要であり、前記水素ガス濃度測定器３４のみによって水素ガス濃度検出部を構成する、つまり混合ガスにおける水素ガス濃度を直接計測する、ことが可能である。ただし、この第２の実施の形態に比べ、前記第１の実施の形態では前記水素ガス濃度測定器３４の配置場所の自由度が高いという利点がある。
【００５６】
逆に、前記水素ガス濃度測定器３４は前記ガス処理部１４に導入される前の可燃性ガスにおける水素ガス濃度を測定するように配置されてもよい。しかし、前記ガス処理部１４の下流側での測定、つまりガス処理されて不純物が除去された状態での可燃性ガス中の水素ガス濃度の測定によれば、ガス処理部１４の上流側での測定に比べてより高い精度で検出水素ガス濃度を特定することが可能である。
【００５７】
前記第１〜第３の実施の形態は、いずれも、システムに対する水蒸気の供給量を調節することにより混合ガス中の水素ガス濃度を制御するものであるが、当該水素ガス濃度の制御は、ガス化炉よりも下流側の位置に水素ガスを供給することと、その水素ガスの供給量を調節することと、により行われることも可能である。その例を第４の実施の形態として図５に示す。
【００５８】
この第４の実施の形態に係る廃棄物処理システムは、前記第１の実施の形態に係るシステムの水蒸気供給部３０、水蒸気供給調節弁３２及び水蒸気供給指令部３８にそれぞれ代えて水素ガス供給部４０、水素ガス供給調節弁４２及び水素ガス供給指令部４４を具備するものである。それ以外の第４の実施の形態に係るシステムの要素は第１の実施の形態に係るシステムの要素と全く同等である。
【００５９】
前記水素ガス供給部４０は、水素ガス供給配管４１を介してシステム内の適当な配管、ここではガス処理部１４とミキサ１６とを結ぶ配管１５、に接続され、水素ガスを生成するとともにその生成した水素ガスを前記配管１５に供給する。つまり、当該水素ガスを前記ガス処理部１４から排出される熱分解中に混合する。前記水素ガスの生成は、例えば水の電気分解により低コストで行われることが可能である。
【００６０】
前記水素ガス供給調節弁４２は、前記水素ガス供給管４１の途中に設けられ、当該水素ガス供給管４１を通じて前記配管１５に供給される水素ガスの流量を変化させるように開弁する。当該水素ガス供給調節弁４２は、前記第１の実施の形態に係る水蒸気供給調節弁３２と同様、電磁弁により構成され、入力される流量指令信号に応じた開度で開弁することにより、前記水素ガスの流量が前記流量指令信号に対応した流量になるように当該流量を調節する。
【００６１】
前記水素ガス供給指令部４４は、前記流量指令信号を生成して前記水素ガス供給調節弁４２に入力することにより、前記水素ガス供給部４０から前記配管１５内の可燃性ガスに供給される水素ガスの流量を調節する。具体的に、当該水素ガス供給指令部４４は、前記流量指令信号として、前記偏差演算部３６により演算される水素ガス濃度偏差ΔＤｈ、すなわち、水素ガス濃度測定器３４及び水素ガス濃度算定部３５により検出される（混合ガス中の）水素ガス濃度である検出水素ガス濃度Ｄｈの目標水素ガス濃度Ｄｈｔに対する偏差（ΔＤｈ＝Ｄｈ−Ｄｈｔ）、を０にするような流量指令信号を生成し、これを前記水素ガス供給調節弁４２に入力する。従って、当該水素ガス供給指令部４４は、前記偏差演算部３６及び前記水素ガス供給調節弁４２とともに、前記水素ガス濃度偏差ΔＤｈを０に近づけるように水素ガス供給量を調節する（つまり検出水素ガス濃度Ｄｈを目標水素ガス濃度Ｄｈｔに近づけるような水素ガス濃度制御を行う）水素ガス濃度制御部を構成する。
【００６２】
前記水素ガス供給指令部４４は、前記第１の実施の形態に係る水蒸気供給指令部３８と同様、水素ガス供給量の調節による水素ガス濃度の制御（この実施の形態ではフィードバック制御）、を例えば前記水素ガス濃度偏差ΔＤｈに基づくＰＩＤ制御によって実現する。従って、前記検出水素ガス濃度Ｄｈが前記目標水素ガス濃度Ｄｈｔよりもある程度以上大きい領域（図２に示される例では領域Ａ１）にて水素ガス供給量を減少させる調節を行い、逆に前記検出水素ガス濃度Ｄｈが前記目標水素ガス濃度Ｄｈｔよりもある程度以上小さい領域（図２に示される例では領域Ａ２）にて水蒸気供給量を増加させる調節を行う。
【００６３】
前記水素ガス供給指令部４４は、前記第１の実施の形態に係る水蒸気供給指令部３８と同様、例えば、前記水素ガス濃度算定部３５及び偏差演算部３６とともに、マイクロコンピュータをはじめとする演算制御装置により構成されることが可能である。
【００６４】
この第４の実施の形態に係る廃棄物処理システムにおいても、ガスエンジン２０に供給される混合ガスにおける水素ガス濃度を検出することと、その検出された水素ガス濃度Ｄｈの目標水素ガス濃度Ｄｈｔに対する偏差である水素ガス濃度偏差ΔＤｈを０に近づけるように水素ガス供給量を調節することと、を含む廃棄物処理方法が実行されることにより、前記混合ガスにおける水素ガス濃度を確実に下限水素ガス濃度Ｄｈｍｉｎよりも高くしてガスエンジン２０の正常な運転を確保することができる。しかも、前記のような水素ガス濃度の制御は、過剰な水素ガスの供給を防いでコストの増大を有効に抑制することを可能にする。
【００６５】
前記第１〜第３の実施の形態と同様、水素ガス濃度の測定が行われる箇所及び水素ガスの供給箇所は特に限定されない。しかし、水素ガスの供給箇所は、その供給される水素ガスの燃焼が発生しない程度に低温である箇所、具体的には前記配管１５のようにガス処理部１４の下流側の箇所に選定されるのが好ましい。また、図５に示されるシステムでは、水素ガスが供給された後の可燃性ガスにおける水素ガス濃度を水素ガス濃度測定器３４が測定するように当該水素ガス濃度測定器３４が水素ガス供給位置よりも下流側に配置されているが、逆に水素ガス濃度測定器３４の下流側に水素ガスが供給されてもよい。この場合、水素ガスが供給される前に測定された水素ガス濃度に対応する検出水素ガス濃度を目標水素ガス濃度に近づけるように、つまり水素ガスの不足分を補うように、水素ガス供給量が調節されることになる。水素ガスの供給位置は、あるいは、ミキサ１６の下流側の位置に設定されてもよい。
【００６６】
以上説明した廃棄物処理方法は、いずれも、可燃性ガスの保有発熱量ではなく混合ガスにおける水素ガス濃度を制御するものであるので、従来のように大きな体積の高発熱量ガスを扱うための大掛かりな設備を要することなく、水蒸気または水素ガスの供給量を調節するだけの簡単な設備で前記ガスエンジン２０の確実な稼働を実現することができる。例えば、前記燃焼室２２内の爆発を確実に発生させるために最低限必要な空気中の水素ガス濃度の下限値が４％（容量％）であるガスエンジンの場合、当該爆発に必要なメタンガスの下限値及び一酸化炭素ガス濃度の下限値はそれぞれ５．３％及び１２．５％であり、水素ガスの下限値よりも著しく大きい。従って、高発熱量ガスの添加により混合ガスの単位体積当たりの発熱量を制御するのではなく、着火性及び可燃性に優れた水素ガスの濃度を水蒸気または水素ガスの供給量の調節によって制御することにより、設備の大型化及びコストの増大を効果的に抑制することができる。
【００６７】
本発明は、水蒸気及び水素ガスの少なくとも一方の供給量を調節することにより水素ガス濃度を制御するものを広く包含する。従って、本発明では、水蒸気及び水素ガスの双方の供給及びその供給量の調節が同時に行われてもよい。例えば、検出水素ガス濃度Ｄｈが目標水素ガス濃度Ｄｈｔに近づくようにガス化炉１０に対する水蒸気供給量の調節とガス処理部１４の下流側の位置に対する水素ガスの供給量の調節とが同時に実行されてもよい。
【００６８】
また、本発明では検出される水素ガス濃度が下限水素ガス濃度を上回るように水蒸気または水素ガスの供給が行われればよく、水素ガス濃度偏差ΔＤｈを０に近づけるようなフィードバック制御が行われるものに限定されない。例えば、検出される水素ガス濃度（混合ガスにおける水素ガス濃度）が予め設定された許容水素ガス濃度であって下限水素ガス濃度よりも大きな範囲で設定された所定濃度に達するたびに一定期間だけ水蒸気または水素ガスの供給量を増やして一時的に水素ガス濃度を増加させるような制御が実行されてもよい。
【符号の説明】
【００６９】
１０    ガス化炉
１２    改質炉
１４    ガス処理装置
１６    ミキサ
１８    流動床
２０    ガスエンジン
３０    水蒸気供給部
３２    水蒸気供給調節弁（水素ガス濃度制御部）
３４    水素ガス濃度測定器（水素ガス濃度検出部）
３５    水素ガス濃度算定部（水素ガス濃度検出部）
３６    偏差演算部（水素ガス濃度制御部）
３８    水蒸気供給指令部（水素ガス濃度制御部）
４０    水素ガス供給部
４２    水素ガス供給調節弁（水素ガス濃度制御部）
４４    水素ガス供給指令部（水素ガス濃度制御部）
【図１】
2020076008.tif 000003
【図２】
2020076008.tif 000004
【図３】
2020076008.tif 000005
【図４】
2020076008.tif 000006
【図５】
2020076008.tif 000007
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
廃棄物を熱分解・ガス化することにより処理するための方法であって、
前記廃棄物をガス化炉に導入して熱分解・ガス化することにより可燃性ガスを生成することと、
前記ガス化炉またはそれよりも後段に設けられる設備であって水蒸気の還元反応により水素ガスが生成されることが可能な高温運転設備に水蒸気を供給することと、
前記可燃性ガスに含まれる不純物を除去するガス処理を行うことと、
前記ガス処理が行われた後の可燃性ガスに空気を混合して混合ガスを生成しかつ当該混合ガスをガスエンジンに供給することにより当該ガスエンジンを稼働させることと、
当該ガスエンジンに供給される前記混合ガスにおける水素ガスの濃度を検出することと、
検出される水素ガスの濃度が前記ガスエンジン内での爆発を生じさせるために最低限必要な水素ガスの濃度である下限水素ガス濃度を上回るように前記高温運転設備に供給される水蒸気の量を調節することと、を含む、廃棄物処理方法。
【請求項２】
請求項１記載の廃棄物処理方法であって、前記高温運転設備に供給される水蒸気の量は、検出された水素ガスの濃度と前記下限水素ガス濃度の値よりも大きな値に設定された目標水素ガス濃度との偏差を０に近づけるように調節される、廃棄物処理方法。
【請求項３】
請求項１または２記載の廃棄物処理方法であって、前記ガス化炉は流動化ガスの供給を受けて流動する流動床を有する流動床式ガス化炉であり、前記水蒸気は前記流動化ガスとともに前記流動床に供給される、廃棄物処理方法。
【請求項４】
請求項１〜３のいずれかに記載の廃棄物処理方法であって、前記高温運転設備が前記ガス化炉から排出される可燃性ガスをその改質反応が可能となる温度以上に加熱して改質を行う改質炉を含み、前記水蒸気は当該改質炉に供給される、廃棄物処理方法。
【請求項５】
廃棄物を熱分解・ガス化することにより処理するためのシステムであって、
前記廃棄物を受け入れて熱分解・ガス化することにより可燃性ガスを生成するガス化炉と、
前記ガス化炉またはそれよりも後段に設けられる設備であって水蒸気の還元反応により水素ガスが生成されることが可能な高温運転設備に水蒸気を供給する水蒸気供給部と、
前記可燃性ガスに含まれる不純物を除去するガス処理を行うガス処理部と、
供給されるガスを爆発させて動力を生成するガスエンジンと、
前記ガス処理が行われた後の可燃性ガスに空気を混合して混合ガスを生成しかつ当該混合ガスを前記ガスエンジンに供給するミキサと、
当該ガスエンジンに供給される前記混合ガスにおける水素ガスの濃度を検出する水素ガス濃度検出部と、
検出される水素ガスの濃度が前記ガスエンジン内での爆発を生じさせるために最低限必要な水素ガスの濃度である下限水素ガス濃度を上回るように前記高温運転設備に供給される水蒸気の量を調節する水素ガス濃度制御部と、を備える、廃棄物処理システム。
【請求項６】
請求項５記載の廃棄物処理システムであって、前記水素ガス濃度制御部は、検出された水素ガスの濃度と前記下限水素ガス濃度の値よりも大きな値に設定された目標水素ガス濃度との偏差を演算する偏差演算部と、演算された前記偏差を０に近づけるように前記高温運転設備に供給される水蒸気の量を調節する水蒸気供給量調節部と、を含む、廃棄物処理システム。
【請求項７】
請求項５または６記載の廃棄物処理システムであって、前記ガス化炉は流動化ガスの供給を受けて流動する流動床を有する流動床式ガス化炉であり、前記水蒸気供給部は前記水蒸気を前記流動化ガスとともに前記流動床に供給するように構成されている、廃棄物処理システム。
【請求項８】
請求項５〜７のいずれかに記載の廃棄物処理システムであって、前記高温運転設備として前記ガス化炉から排出される可燃性ガスを加熱して改質を行う改質炉をさらに備え、前記水蒸気供給部は前記水蒸気を前記改質炉に供給するように構成されている、廃棄物処理システム。